(57)【特許請求の範囲】
【請求項１】
装着者側に向けられる透液性のトップシートと、外側に向けられるバックシートと、前記トップシートと前記バックシートとの間に挟まれる吸収コアとで構成され、装着者の腹側に当てられる前面部と、股間に当てられる中間部と、背側に当てられる後面部とを有するおむつにおいて、
前記前面部から股間を経て前記後面部に至る方向を縦方向とし、それと直交する方向を横方向としたときに、
少なくとも前記後面部での横方向の中央領域に、装着者側へ隆起する厚肉部が設けられ、この厚肉部は、裾部の横方向の幅寸法が前記中間部に位置する吸収コアの幅寸法よりも小さく、且つ装着者側に向く頂部に向けて横方向の幅寸法が徐々に小さくなる形状であることを特徴とする使い捨ておむつ。
【請求項２】
前記厚肉部は前記後面部に位置し、この厚肉部が前記中間部側に向けられる先部とこれと逆側に向けられる基部とを有し、前記厚肉部の裾部の幅寸法は、前記基部側で大きく前記先部に向くにしたがって徐々に小さくなる請求項１記載の使い捨ておむつ。
【請求項３】
前記厚肉部の隆起高さ寸法が、前記先部に向くにしたがって徐々に低くなる請求項２記載の使い捨ておむつ。
【請求項４】
前記厚肉部は、液吸収体の表面が前記トップシートに覆われたものである請求項１〜３のいずれかに記載の使い捨ておむつ。
【請求項５】
前記厚肉部の液吸収体は、前記吸収コアと同じ材料で連続して形成されており、その結果、厚肉部での吸収コアの目付が、厚肉部以外の部分での前記吸収コアの目付より大きい請求項４記載の使い捨ておむつ。
【請求項６】
前記厚肉部での、前記吸収コアの表面からの隆起高さ寸法が２ｍｍ以上である請求項１〜５のいずれかに記載の使い捨ておむつ。
【請求項７】
前記厚肉部の裾部とその周囲の吸収コアとの境界部に溝が形成されている請求項１〜６のいずれかに記載の使い捨ておむつ。
【請求項８】
前記溝は、吸収コアにヒートエンボスまたはヒートシールを行なうことによって形成される請求項７に記載の使い捨ておむつ。
【請求項９】
前記後面部にはウェスト部側を基端とし、前記厚肉部の表面に向って延びるウェスト漏れ防止用の立体ギャザーが設けられている請求項１〜８のいずれかに記載の使い捨ておむつ。
【発明の詳細な説明】
【０００１】
【発明の属する技術分野】
本発明は、背中漏れ防止機能を備えた使い捨ておむつに関し、特に後面部からウエスト部への漏れ防止機能を向上させた使い捨ておむつに関する。
【０００２】
【従来の技術】
近年、砂時計形状を持つオープン型の使い捨ておむつが広く使用されている。このおむつは、装着者側に向けられる透液性のトップシートと、外側に向けられる不透液性のバックシートと、前記トップシートと前記バックシートとの間に挟まれる吸収コアとで構成され、装着者の腹側に当てられる前面部と、股間に当てられる中間部と、背側に当てられる後面部とを有する。
【０００３】
【発明が解決しようとする課題】
しかし、オープン型のおむつは平面形状を持っているため、立体的なお尻、特にお尻の割れ目と密着することができない。そして、このようなオープン型のおむつを装着するのは寝た状態で過ごすことが多い赤ん坊や幼児である。よって、装着者が寝た状態で例えば軟便を排泄すると、その軟便がおむつとお尻の割れ目との隙間を通って背中側のウェスト部から外へと漏れてしまう問題があった。
【０００４】
本発明は上記課題を解決するためのものであり、おむつと装着者のお尻の割れ目との隙間が生じないようにすることにより、軟便などがおむつの後ウェスト部から背中へ漏れが生じない機能、すなわち背中漏れ防止機能を備えた使い捨ておむつを提供することにある。
【０００５】
【課題を解決するための手段】
本発明の前記目的は、装着者側に向けられる透液性のトップシートと、外側に向けられるバックシートと、前記トップシートと前記バックシートとの間に挟まれる吸収コアとで構成され、装着者の腹側に当てられる前面部と、股間に当てられる中間部と、背側に当てられる後面部とを有するおむつにおいて、
前記前面部から股間を経て前記後面部に至る方向を縦方向とし、それと直交する方向を横方向としたときに、
少なくとも前記後面部での横方向の中央領域に、装着者側へ隆起する厚肉部が設けられ、この厚肉部は、裾部の横方向の幅寸法が前記中間部に位置する吸収コアの幅寸法よりも小さく、且つ装着者側に向く頂部に向けて横方向の幅寸法が徐々に小さくなる形状であることを特徴とする使い捨ておむつによって達成される。
【０００６】
本発明の使い捨ておむつの装着時には、前記厚肉部がお尻の割れ目に入り込むので、おむつ表面と装着者のお尻の割れ目と間に隙間が生じない。よって、装着者が寝た状態で軟便などを排泄しても、後のウェスト部から背中（おむつの外）への漏れが生じにくい。特に、後面部のみに位置すると、排泄物が厚肉部によって堰き止められる。
【０００７】
前記厚肉部は前記後面部に位置し、この厚肉部が前記中間部側に向けられる先部とこれと逆側に向けられる基部とを有し、前記厚肉部の裾部の幅寸法は、前記基部側で大きく前記先部に向くにしたがって徐々に小さくなることが好ましい。この場合、前記厚肉部の隆起高さ寸法が、前記先部に向くにしたがって徐々に低くなることが好ましい。
【０００８】
また、前記厚肉部は、液吸収体の表面が前記トップシートに覆われたものであることが好ましい。例えば、前記厚肉部の液吸収体は、前記吸収コアと同じ材料で連続して形成されており、その結果、厚肉部での吸収コアの目付が、厚肉部以外の部分での前記吸収コアの目付より大きい。ただし厚肉部の液吸収体が、他の部分の吸収コアと別体に形成され、この液吸収体が吸収コアの上に載せられたものであってもよい。
【０００９】
また、前記厚肉部での、前記吸収コアの表面からの隆起高さ寸法が２ｍｍ以上であることが好ましい。
【００１０】
また、前記厚肉部の裾部とその周囲の吸収コアとの境界部に溝が形成されていることが好ましい。この場合、前記溝は、吸収コアにヒートエンボスまたはヒートシールを行なうことによって形成されることが好ましい。
【００１１】
また、本発明の使い捨ておむつでは、前記後面部にはウェスト部側を基端とし、前記厚肉部の表面に向って延びるウェスト漏れ防止用の立体ギャザーが設けられていることが好ましい。
【００１２】
【発明の実施の形態】
以下、図面を参照しながら、本発明の使い捨ておむつについて説明する。図１は本発明の使い捨ておむつを透液性シート側から示す平面図、図２は図１に示したおむつのＩＩ−ＩＩ線の断面図、図３は図１に示したおむつのＩＩＩ−ＩＩＩ線の断面図、図４は図１の厚肉部のＸ方向における断面図である。
【００１３】
図１に示す本発明の使い捨ておむつ１は、いわゆる砂時計形状のオープン型おむつであり、使用時に装着者の腹部に当てられる前面部２Ａと、使用時に尻部および／または背部に当てられる後面部２Ｃと、使用時に股間部に当てられる中間部２Ｂとを有する。前記前面部から股間を経て前記後面部に至る方向をＹ方向（縦方向）とし、それと直交する方向をＸ方向（横方向）とする。また、図２、３及び４に示すように、装着者側に向かう方向をＺ方向とする。
【００１４】
この使い捨ておむつ１は装着者側に向けられる透液性のトップシート１０と、外側に向けられる不透液性のバックシート１１と、前記トップシート１０と前記バックシート１１との間に挟まれる吸収コア１２とで構成されている。それぞれトップシート１０とバックシート１１と吸収コア１２は砂時計形状である。トップシート１０とバックシート１１は、吸収コア１２の周囲でホットメルト型接着剤などにより互いに接合されている。
【００１５】
装着時には、後面部２Ｃの後フラップ（Ｘ方向に突出している部分）が前面部２Ａのバックシート１１上に重ね合わされ、前記後面部２Ｃの後フラップのトップシート１０の両縁部に設けられた掛止シート１８と、前面部２Ａのバックシート１１の前フラップ（Ｘ方向に突出している部分）に設けられた掛止部１７とが、装着者のウエスト部分で掛止される。その結果、使い捨ておむつ１が腰周りにおいて装着者の体に保持、固定される。
【００１６】
トップシート１０は、親水処理された疎水性繊維、親水性繊維などで形成されたものであり、例えばポイントボンド、エアースルー、スパンボンド、スパンレース不織布などである。または、前記不織布に嵩高な不織布からなるクッション層を重ねてトップシートを形成してもよい。バックシート１１は液不透過性で且つ通気性であり、例えばポリオレフィン系の樹脂シートなどにより形成されている。または、バックシートとして不織布を用い、バックシートと吸収コアとの間に防水性フィルムを介在させてもよい。また、その他の吸収性物品の上に重ねられて使用される場合は透液性シートで形成されていてもよい。
【００１７】
吸収コア１２は、吸収性素材、例えば粉砕パルプあるいは粉砕パルプと高吸水性ポリマーの混合物などにより形成され、粉砕パルプあるいは粉砕パルプと高吸水性ポリマーとの混合物がティッシュなどの吸収性シート１３で包まれたものである。また掛止シート１８は例えば先端に掛止頭部を有するキノコ形状または鉤形状の多数の掛止突体が形成された樹脂製シートであり、掛止部１７は例えばポリエステル繊維を材料としてトリコット編みされた織布または不織布である。あるいは係止部１７がゴム系粘着材やアクリル系樹脂などの粘着テープで、掛止シート１８が樹脂フィルムである。
【００１８】
本発明の使い捨ておむつ１の後面部２Ｃの装着者側には、厚肉部２０が形成されている。厚肉部２０は図１に示すように、平面から見たときにほぼ五角形状となっており、先部２３が中間部２Ｂ側に向けられ、その逆側である基部２４が後ウエスト部３Ｃ側に向けられている。すなわち裾部２２の横方向の幅寸法は、基部２４側で大きく先部２３に向けて徐々に小さくなる形状である。また図４の厚肉部２０のＹ方向における断面図に示すように、厚肉部２０は裾部２２から頂部２１へ向かって横方向の幅寸法が徐々に小さくなって、横断面がほぼ三角形状となっている。厚肉部２０では、中間部２Ｂ側の五角形状の先部２３以外の部分は、ほぼ全ての横断面において三角形状となっている。すなわち、厚肉部２０にはＹ方向における全長にわたって頂部２１が存在する。
【００１９】
このように厚肉部２０は、装着者のお尻の割れ目に入り込むことができる形状である。また先部２３が先細形状であるため、人の尻の割れ目に入るときの違和感が少ない。この厚肉部２０が後面部２Ｃに存在していると、吸収コア１２によって吸収されにくい軟便などの排泄物が後面部側へと流れても厚肉部２０によって堰き止められ、その排泄物が後ウェスト部３Ｃからおむつの外へと漏れることがない。
【００２０】
図１では、厚肉部２０の裾部２２のＸ方向の幅寸法２０ｘが、２０〜４０ｍｍ程度であり、さらに好ましくは２５〜３５ｍｍ程度である。また、Ｙ方向における寸法２０ｙは５０〜７０ｍｍ程度、さらに好ましくは５５〜６５ｍｍ程度である。また、厚肉部２０の基部２４と後ウェスト部３Ｃとの距離３ｙは、３０〜５０ｍｍ程度、さらに好ましくは３５〜４５ｍｍ程度である。
【００２１】
厚肉部２０は、それ自身においても排泄物を吸収できるように、液吸収体で構成されることが好ましい。そして、この厚肉部２０の液吸収体は、他の部分の吸収コア１２と同様にトップシート１０に覆われる。
【００２２】
例えば図２及び図４に示されるように、厚肉部２０の液吸収体は、吸収コア１２と一体に形成される。すなわち吸収コア１２の一部の目付けを多くすることにより、前記厚肉部２０の液吸収体を形成することができる。この場合、例えば厚肉部での吸収コアの厚み１２ｚが４．５ｍｍ、その他の部分の吸収コア１２厚み１２ｚが２．５ｍｍである。
【００２３】
厚肉部２０が装着者のお尻の割れ目に入りこみ、おむつ１とお尻の割れ目との隙間を少なくするためには、厚肉部２０での、吸収コア１２の表面からの隆起高さ寸法が２ｍｍ以上であることが好ましい。
【００２４】
また厚肉部２０の液吸収体が吸収コア１２と一体に形成される場合、厚肉部２０において吸収性素材が多く存在することとなる。例えば吸収コア１２の吸収性素材（例えばパルプ）の目付が２５０ｇ／ｍ2程度であるのに対し、厚肉部２０においては４００ｇ／ｍ2程度となる。したがって、厚肉部２０における吸収性が高くなり、軟便などの排泄物の水分が吸収されることになるので、排泄物の漏れがさらに生じにくくなる。
【００２５】
さらに本発明の使い捨ておむつ１には、ウェスト漏れ防止用のカフ３０を設けることができる。例えば、図１に示すように、厚肉部２０と後ウェスト部３Ｃとの間に不透液性の帯状シートを設け、この帯状シートの中間部２Ｂ側の側縁には弾性部材３１を設ける。この帯状シートはＸ方向における両端と、後ウェスト部３Ｃ側の側縁とがトップシート１０に接合されて起立支点（基端）を形成している。その結果、中間部２Ｂに向かって開口するウェスト漏れ防止用のカフ３０が形成される。このカフ３０は厚肉部２０の表面に向って延び、厚肉部２０を覆うようにして設けられ、厚肉部２０の裾部２２とカフ３０との間にポケットが形成される。よって、厚肉部２０によって堰き止めることができない多量の排泄物が、厚肉部２０を迂回して後ウェスト部３Ｃに向かって流れてきても、ポケット内に流れ込ませて保持させることによりさらに漏れが生じにくいものとなる。
【００２６】
不透液性の帯状シートは不織布、疎水性繊維で形成された不織布、樹脂シートなどで形成されうる。好ましくは通気性であり、例えば、ポリプロピレン繊維で形成されたスパンボンド不織布や、スパンボンド不織布とメルトブロー不織布とスパンボンド不織布とを重ねたシートなどで形成されうる。帯状シートのＸ方向における寸法は好ましくは１７０〜１３０ｍｍ、さらに好ましくは１５０ｍｍ程度である。カフ３０の後ウェスト部３ＣからのＹ方向における寸法は例えば７０〜５０ｍｍ、好ましくは６０ｍｍ程度である。ただし、帯状シートの側部は後ウェスト部３Ｃに重ねる必要はなく、中間部２Ｂ寄りの部分から設けられていてもよく、その場合帯状シートのＹ方向における寸法は適宜変更されうる。
【００２７】
前記カフ３０が形成される場合、厚肉部２０の周囲には図５に示すように溝２５を形成することができる。溝２５は、図１の厚肉部２０の後ウェスト部３Ｃ側の底部２４以外の部分で形成される。このような溝２５を設けると、排泄物が溝に沿って流れ易くなり、カフ３０のポケットへと導かれ易くなる。なお、溝２５は吸収コア１２にヒンジエンボスまたはヒートシールなどを施すことにより形成することが好ましい。この場合、溝２５における吸収性素材の密度が高くなり、毛細管現象によって排泄物が溝２５へと導かれ易くなる。
【００２８】
なお、本発明のおむつ１には、従来のオープン型おむつに設けられている横漏れ防止用のカフを設けても良い。例えばトップシート１０の上の両側部４、４側に、不透液性の帯状シートを設け、この帯状シートの中央側の側縁（帯状シートの幅方向（Ｘ方向）における中間部であってもよい）に弾性部材をそれぞれ設ける。そして、その反対側の側縁及び前後の端部がトップシート１０の上面に接着させる。その結果、使い捨ておむつ１の装着時に中央側の側縁が立ち上がるような横漏れ防止用のカフが一対形成される。
【００２９】
さらに、いわゆるレッグカフが設けられていても良い。例えば使い捨ておむつ１のＸ方向の吸収コア１２が存在していない両側部４、４の領域（吸収領域の外側）において、使い捨ておむつ１の縦方向（Ｙ方向）に延びる弾性部材を、トップシート１０とバックシート１１の間に接着固定させる。この弾性部材がＹ方向に弾性収縮することにより、使い捨ておむつ１のＸ方向の両側部４、４の領域でトップシート１０およびバックシート１１が収縮させられ、足回りにフィットするレッグギャザーが形成される。
【００３０】
次に、厚肉部２０をもつ本発明の使い捨ておむつ１の製造方法の一例を説明する。ただし、本発明の使い捨ておむつ１の製造方法はこれに限られない。図６は図１に示した使い捨ておむつ１の製造方法を示す説明図、図７は図６に示したパターンドラムの斜視図、図８は図６に示したパターンドラムの一部拡大断面図である。
【００３１】
まず、図７に示すような砂時計形状の凹部５３が外周面５１ａ上に形成されており、且つ反時計方向へ一定の速度で回転するパターンドラム５１の外周面５１ａに、上側のティッシュ１３ａが原反から連続的に供給される。凹部５３の底面は網目５３ａとなっており、網目５３ａには厚肉部２０を形成するための三角凹部５３ｂが形成されている。この凹部５３がパターンドラム５１の上位に（すなわち、サクションチャンバ５６の上に）移動したとき、サクションチャンバ５６の吸引圧が網目５３ａを介してティッシュ１３ａに与えられ、ティッシュ１３ａは、凹部５３の内部内面に沿うように載置されて凹状に変形させられる。
【００３２】
このとき吸収性素材積層機５４から粉砕パルプおよび高吸水性ポリマーが凹部５３内に与えられる。サクションチャンバ５６に吸引される結果、図８に示すように、凹部５３内では網目５３ａの内面に沿うように上側のティッシュ１３ａが敷かれ、そしてこのティッシュ１３ａの上に吸収性素材層５５が形成される。よって、図７に示すパターンドラム５１を使用した場合には、吸収性素材層５５は、後に厚肉部となる肉厚部分をもった砂時計形状となりうる。
【００３３】
一方、下側のティッシュ１３ｂが原反から送り出されて、パターンドラム５１の下方に向かって送り出される。凹部５３がパターンドラム５１の最下部に移動したとき、凹部５３内で成形された吸収性素材層５５および上側のティッシュ１３ａが、加圧チャンバ５７により凹部５３内から分離される。よって、吸収性素材層５５が、上側のティッシュ１３ａと共に下側のティッシュ１３ｂ上に転載され、吸収コア１２が形成される。そして、この吸収コア１２には厚肉部２０が上側のティッシュ１３ａに向かって突出するように肉厚に形成されている。
【００３４】
その後、第１のヒンジエンボス６０により、吸収コア１２の厚肉部２０以外の部分をプレスして吸収コア１２の表面を平らにする。その吸収コア１２の表面に向かって、原反に巻かれたトップシート１０が供給されて、吸収コア１２に積層される。そして、第２のヒンジエンボス６１により、吸収コア１２とトップシート１０とが共に厚肉部２０以外の部分においてまたプレスされて形状が整えられる。このようにして、厚肉部２０のＺ方向厚みが約４．５ｍｍ、それ以外の部分の厚みが約２．５ｍｍであり、且つ厚肉部２０以外の部分の剛性が１０〜３０ｇである吸収コア１２を形成する。さらに、吸収コア１２とトップシート１０とが重ねられたものの下側（裏側）に、原反に巻かれたバックシート１１が供給され、積層される。
【００３５】
その後は、図６には図示していないが、吸収コア１２の周囲においてトップシート１０とバックシート１１とをホットメルト型接着剤もしくは熱融着により接合し、その結果一体化されたものをカッターなどで個々に切断することにより本発明の使い捨ておむつ１を得ることができる。なお、横漏れ防止ギャザー、レッグギャザー、ウェストギャザーなどを設けるその他の工程は特に記載していないが、必要に応じて適宜付け加えることはできる。
【００３６】
図９、図１１はそれぞれ本発明の使い捨ておむつにおける厚肉部の他の実施の形態を示す斜視図、図１０は図９のＩ０−Ｉ０線による断面図、図１２は図１１のＩ２−Ｉ２線による断面図である。
【００３７】
図９及び図１０に示すように、頂部２１Ａが、前記先部２３に向くにしたがって徐々に吸収コア１２に近くなる、すなわち、厚肉部２０Ａの隆起高さ寸法が徐々に低くなるようにして厚肉部２０Ａを形成してもよい。
【００３８】
また、図１１及び図１２に示すように、三角錐形状の厚肉部２０Ｂを形成してもよい。この場合、頂部２１Ｂが前記先部２３に向くにしたがって徐々に吸収コア１２に近くなり、厚肉部２０Ｂの隆起高さ寸法が徐々に低くなる。その一方、頂部２１Ｂは底部２４に向くにしたがって徐々に吸収コア１２に近くなり、厚肉部２０Ｂの隆起高さ寸法が徐々に低くなるいる。そして、図１２に示すように、先部２３と底部２４とのＹ方向における中央において、頂部２１Ｂの隆起高さ寸法が最も高くなっている。
【００３９】
また、厚肉部を形成する方法は吸収コア１２をＺ方向へ肉厚とすることに限られない。例えば、図９や図１１に示した厚肉部の形状を持つ吸収性素材の表面を不織布等で覆い、それをトップシート１０の後面部２Ｃに接着固定させてもよい。その他、図１３に示すように、連続したきわめて長い繊維（フィラメント）を多数本、同方向に三角柱状に束ねたトウ２８を不織布２６で包んだものを所定間隔（例えば切断線２７）で切断したものを、吸収コア１２とトップシート１０との間に接地することにより厚肉部を形成することができる。さらにまた、ウレタンなどの発泡材のようなクッション性素材により厚肉部を形成してもよい。ただし、厚肉部においても排泄物を吸収できるように吸収性素材で形成されることが望ましい。
【００４０】
図１４は本発明の使い捨ておむつのさらに他の実施の形態を示す平面図である。図１４では厚肉部２０Ｃが前面部２Ａから中間部２Ｂを経て後面部２Ｃに至るまで縦方向に連続して設けられている。また、Ｘ方向における断面形状は、どこをとっても図４に示すような三角形状となっている。このような厚肉部２０Ｃを設けると、お尻の割れ目と使い捨ておむつ１Ｃとの間に空隙ができないので、排泄物は移動することなく吸収コアで吸収される。したがって、軟便が排泄されたとしても、その水分が確実に吸収コアで吸収されるため、軟便が後ウェスト部へと移動しにくくなり、漏れを防止できる。
【００４１】
このような厚肉部２０Ｃは図１に示した厚肉部２０と同様に、吸収コア１２のＺ方向への厚み大きくすることによって得ることができる。ただし、図１５に示すように吸収コア１２とトップシート１０との間にトウ２８を設けることにより、厚肉部２０Ｃを形成することもできる。また、図１４には図示していないが、このおむつにおいても図１に示すようなウェスト漏れ防止用のカフが設けられていることが好ましい。
【００４２】
なお、本発明の使い捨ておむつは砂時計形状のオープン型に限られず、長方形のオープン型または予めパンツ型に形成された使い捨ておむつであってよい。また、おむつを装着者の体に保持させる手段は前記ウェスト部分における掛止に限られず、その他の手段（例えばサスペンダーのようなもの）でおむつを体に保持させるものであってもよい。
【００４３】
【発明の効果】
以上詳述したように、本発明の厚肉部を設けた使い捨ておむつは、おむつと装着者のお尻の割れ目との間に隙間が生じない。したがって、装着者が寝た状態で軟便などを排泄しても、後のウェスト部から背中（おむつの外）へと漏れることを厚肉部によって堰き止めることができる。
また、本発明の使い捨ておむつは、股下部においてよくフィットし、装着感に優れている。
【図面の簡単な説明】
【図１】本発明の使い捨ておむつを透液性シート側から示す平面図
【図２】図１に示したおむつのＩＩ−ＩＩ線の断面図
【図３】図１に示したおむつのＩＩＩ−ＩＩＩ線の断面図
【図４】図１の厚肉部のＸ方向における断面図
【図５】図４に示した厚肉部の変形例
【図６】図１に示した使い捨ておむつ１の製造方法を示す説明図
【図７】図６に示したパターンドラムの斜視図
【図８】図６に示したパターンドラムの一部拡大断面図
【図９】本発明の使い捨ておむつにおける厚肉部の他の実施の形態を示す斜視図
【図１０】図９のＩ０−Ｉ０線による断面図
【図１１】本発明の使い捨ておむつにおける厚肉部の他の実施の形態を示す斜視図
【図１２】図１１のＩ２−Ｉ２線による断面図
【図１３】厚肉部の変形例を説明する斜視図
【図１４】本発明の使い捨ておむつのさらに他の実施の形態を示す平面図
【図１５】図１４のＸ方向における厚肉部の部分断面図
【符号の説明】
１，１Ｃ  使い捨ておむつ
２Ａ  前面部
２Ｂ  中間部
２Ｃ  後面部
３Ａ  前ウェスト部
３Ｃ  後ウェスト部
４  側部
１０  トップシート
１１  バックシート
１２  吸収コア
１３ａ  上側のティッシュ
１３ｂ  下側のティッシュ
１７  掛止部
１８  掛止シート
２０，２０Ａ，２０Ｂ，２０Ｃ  厚肉部
２１，２１Ａ，２１Ｂ，２１Ｃ  頂部
２２  裾部
２３  先部
２４  底部
２５  溝
２８  トウ
３０  カフ
３１  弾性部材
５１  パターンドラム
５１ａ  外周面
５３  凹部
５３ａ  網目
５４  吸収性素材積層機
５５  吸収性素材層
５６  サクションチャンバ
５７  加圧チャンバ
６０  第１のヒンジエンボス
６１  第２のヒンジエンボス
【図１】
0003638819.tif 000002
【図２】
0003638819.tif 000003
【図３】
0003638819.tif 000004
【図４】
0003638819.tif 000005
【図５】
0003638819.tif 000006
【図６】
0003638819.tif 000007
【図７】
0003638819.tif 000008
【図８】
0003638819.tif 000009
【図９】
0003638819.tif 000010
【図１０】
0003638819.tif 000011
【図１１】
0003638819.tif 000012
【図１２】
0003638819.tif 000013
【図１３】
0003638819.tif 000014
【図１４】
0003638819.tif 000015
【図１５】
0003638819.tif 000016